(57)【要約】【課題】メディア起動記述が複数の放送地域にまたがって利用される場合にも、意図した番組を容易に視聴できるようにする。【解決手段】放送受信機能を有する端末装置は、少なくとも現在地域において受信可能な放送局のサービスＩＤおよびネットワークＩＤの少なくともいずれか一方と物理チャンネルとを対応付けたチャンネルリストを記憶しておく。端末装置は、何らかの手段により入力した少なくとも起動対象のメディアおよびチャンネルを識別するための情報ならびに再生開始日時情報を含むメディア起動記述を解釈し、実行する。メディア起動記述に基づいて放送受信部を起動する際、チャンネルリストを参照し、メディア起動記述に含まれうるサービスＩＤ（service_id）および物理チャンネル情報（p_channel）、系列ＩＤ（affiliation_id)に基づいて、選択すべき物理チャンネルを特定する。【選択図】図９
2008098983.tif 000002
【特許請求の範囲】
【請求項１】
放送を受信し再生する放送受信手段と、
少なくとも現在地域において受信可能な放送局のサービスＩＤおよび少なくとも一つの前記サービスＩＤに対応するネットワークＩＤの少なくともいずれか一方と物理チャンネルとを対応付けたチャンネルリストを記憶する手段と、
少なくとも起動対象のメディアおよびチャンネルを識別するための情報ならびに再生開始日時情報を含むメディア起動記述を解釈し、実行する制御手段とを備え、
前記制御手段は、前記メディア起動記述に基づいて前記放送受信手段を起動する際、前記メディア起動記述に含まれうるサービスＩＤが、前記チャンネルリストに含まれうるサービスＩＤまたは前記チャンネルリストに含まれうるネットワークＩＤに対応するサービスＩＤの少なくともいずれかに該当する場合に、当該サービスＩＤに対応する物理チャンネル情報に基づいて、選択すべき物理チャンネルを特定し、
更に、前記メディア起動記述内にサービスＩＤではなく、受信対象の番組を受信可能な複数のサービスＩＤを定めたサービスＩＤリストが記載されている場合、このサービスＩＤリスト内に含まれるサービスＩＤのいずれかが、前記チャンネルリストに含まれうるサービスＩＤまたは前記チャンネルリストに含まれうるネットワークＩＤに対応するサービスＩＤの少なくともいずれかに該当する場合に、当該サービスＩＤに対応する物理チャンネル情報に基づいて、選択すべき物理チャンネルを特定する
ことを特徴とする放送受信端末装置。
【請求項２】
前記制御手段は、前記チャンネルリストが物理チャンネルに対応してネットワークＩＤを含む場合、前記メディア起動記述内のサービスＩＤに基づいてこのサービスＩＤに対応するネットワークＩＤを求め、前記チャンネルリスト内の当該ネットワークＩＤに対応する物理チャンネル情報に基づいて、選択すべき物理チャンネルを特定する請求項１記載の放送受信端末装置。
【請求項３】
前記チャンネルリスト内に各物理チャンネルに対応して系列ＩＤをさらに含み、前記制御手段は、前記メディア起動記述に基づいて放送受信手段を起動する際、前記メディア起動記述内にサービスＩＤおよびサービスＩＤリストのいずれも記載されておらず系列ＩＤが記載されている場合、この系列ＩＤが現在地域での前記チャンネルリストに含まれているとき、この系列ＩＤに対応する物理チャンネル情報に基づいて、選択すべき物理チャンネルを特定することを特徴とする請求項１または２記載の放送受信端末装置。
【請求項４】
前記制御手段は、前記メディア起動記述内にサービスＩＤおよび物理チャンネル情報が記載されている場合、両者の組み合わせが現在地域での前記チャンネルリストに含まれているとき、当該物理チャンネル情報に基づいて、選択すべき物理チャンネルを特定する請求項１または２記載の放送受信端末装置。
【請求項５】
前記制御手段は、前記メディア起動記述内にサービスＩＤおよび物理チャンネル情報が記載されている場合、そのうち前記サービスＩＤのみが現在地域での前記チャンネルリストに含まれているとき、そのサービスＩＤに対応する物理チャンネル情報に基づいて、選択すべき物理チャンネルを特定する請求項１または２記載の放送受信端末装置。
【請求項６】
前記制御手段は、前記メディア起動記述内にサービスＩＤおよび物理チャンネル情報が記載されている場合、そのうち前記物理チャンネル情報のみが現在地域での前記チャンネルリストに含まれているとき、当該物理チャンネル情報に基づいて、選択すべき物理チャンネルを特定する請求項１または２記載の放送受信端末装置。
【請求項７】
前記制御手段は、前記メディア起動記述内に、サービスＩＤが記載されており物理チャンネル情報が記載されていない場合、そのサービスＩＤが前記チャンネルリストに含まれているとき、そのサービスＩＤに対応する物理チャンネル情報に基づいて、選択すべき物理チャンネルを特定する請求項１または２記載の放送受信端末装置。
【請求項８】
現在地域の放送番組情報を含む電子番組表を取得する手段を備え、
前記制御手段は、放送の受信予約処理に基づく処理時に、前記メディア起動記述および前記チャンネルリストに基づいて選択すべき物理チャンネルを特定することができなかったとき、前記電子番組表を提示してユーザにチャンネルを選択させる請求項１〜７のいずれかに記載の放送受信端末装置。
【請求項９】
最後に選択された物理チャンネル情報を記憶する手段を備え、
前記制御手段は、放送の即時受信処理時に、前記メディア起動記述および前記チャンネルリストに基づいて選択すべき物理チャンネルを特定することができなかったとき、前記最後に選択された物理チャンネルを選択する請求項１〜７のいずれかに記載の放送受信端末装置。
【請求項１０】
前記メディア起動記述は、メッセージ、マークアップ言語で記述されたデータ、データ放送の受信データ、記号化されたコードの読取データのいずれかに含まれていることを特徴とする請求項１〜９のいずれかに記載の放送受信端末装置。
【請求項１１】
放送を受信し再生する放送受信手段、少なくとも現在地域において受信可能な放送局のサービスＩＤおよび少なくとも一つの前記サービスＩＤに対応するネットワークＩＤの少なくともいずれか一方と物理チャンネルとを対応付けたチャンネルリストを記憶する手段とを有する放送受信端末装置で実行されるコンピュータプログラムであって、
少なくとも起動対象のメディアおよびチャンネルを識別するための情報ならびに再生開始日時情報を含むメディア起動記述を解釈するステップと、
解釈の結果、前記放送受信手段を起動する際、前記メディア起動記述に含まれうるサービスＩＤおよび物理チャンネル情報の有無に応じて前記チャンネルリストを参照し、選択すべき物理チャンネルを特定するステップと、
前記メディア起動記述内に、サービスＩＤが記載されておらず、前記メディア起動記述で意図した受信対象の番組を受信可能な複数のサービスＩＤを定めたサービスＩＤリストが記載されている場合、このサービスＩＤリスト内に記載されているサービスＩＤのいずれかが現在地域での前記チャンネルリストに含まれているとき、そのサービスＩＤに対応する物理チャンネル情報に基づいて、選択すべき物理チャンネルを特定するステップと
をコンピュータに実行させるコンピュータプログラム。
【請求項１２】
前記チャンネルリストが物理チャンネルに対応してネットワークＩＤを含む場合、前記メディア起動記述内のサービスＩＤに基づいてこのサービスＩＤに対応するネットワークＩＤを求め、前記チャンネルリスト内の当該ネットワークＩＤに対応する物理チャンネル情報に基づいて、選択すべき物理チャンネルを特定する請求項１１記載のコンピュータプログラム。
【請求項１３】
前記メディア起動記述内にサービスＩＤが記載されておらず系列ＩＤが記載されている場合、この系列ＩＤが現在地域の前記チャンネルリストに含まれているとき、当該系列ＩＤに対応する物理チャンネル情報に基づいて、選択すべき物理チャンネルを特定するステップをコンピュータに実行させる請求項１１または１２記載のコンピュータプログラム。
【発明の詳細な説明】
【技術分野】
【０００１】
本発明は、放送受信機能を備えた放送受信端末装置およびこのコンピュータにおいて実行されるコンピュータプログラムに関する。
【背景技術】
【０００２】
現在、携帯電話端末向けの地上デジタル・テレビ放送（いわゆるワンセグ放送）が開始されており、これに対応した放送受信機能を有する携帯電話端末が販売されている。このようなテレビ放送受信機能を有する携帯電話端末を利用すれば、ユーザは外出先や移動中に任意所望の時間にテレビ放送を視聴することができる。すなわち、放送電波が届く地域であれば、いつでもどこでもテレビ放送を視聴することが可能となった。
【０００３】
また、自分の推薦するテレビ番組に関する推薦情報を携帯端末を用いて他の視聴者へ電子メールで通知し、その視聴者が、受信装置で視聴していたテレビ番組を推薦情報で推薦されたテレビ番組に切り替える処理を支援する技術が提案されている（特許文献１参照）。
【特許文献１】特開２００１−３３３４１１号公報
【非特許文献１】株式会社インプレスネットビジネスカンパニー社発行「１セグ放送教科書」２００５年６月２１日、ｐ２１９参照
【発明の開示】
【発明が解決しようとする課題】
【０００４】
従来、テレビやラジオなどのメディアの起動はスイッチやメニューの操作により、まずメディアを起動して、所望のチャンネルを選択するという動作が慣用である。これに対して、放送局識別情報および放送番組を特定するための情報を含むメディア起動記述を電子メールなどの本文中に含めておき、アプリケーションでそのメディア起動記述をユーザが指示可能に提示し、ユーザの指示に応じて当該メディア起動記述にしたがったメディアの起動を行うことが検討されている。
【０００５】
このようなメディア起動記述を利用すれば、ある者から他の者に対して、特定の放送局における特定の放送番組を容易に視聴できるように当該メディアの起動指示を行うことが可能となる。このようなメディア起動記述は、通信機能とテレビ放送受信機能とを兼備した携帯電話端末での利用に適している。
【０００６】
しかしながら、全国ネットで放送される番組であっても、放送に利用される物理チャンネル（周波数）は地域によって異なる。一方、電子メールやＷｅｂコンテンツなどの通信には放送のような地域の境界はない。したがって、通信等により地域の境界を越えてメディア起動記述を受信した者はそのメディア起動記述に従って意図したとおりにメディアを起動することが行えないという問題が生じる。この問題は、上述した特許文献１に記載の技術においても解決されない。
【０００７】
本発明はこのような問題に鑑みてなされたものであり、その目的は、メディア起動記述が複数の放送地域にまたがって利用される場合にも、意図した番組を容易に視聴できるようにすることができる放送受信端末装置、メディア起動記述処理方法およびコンピュータプログラムを提供することにある。
【課題を解決するための手段】
【０００８】
本発明による放送受信端末装置は、放送を受信し再生する放送受信手段と、少なくとも現在地域において受信可能な放送局のサービスＩＤおよび少なくとも一つの前記サービスＩＤに対応するネットワークＩＤの少なくともいずれか一方と物理チャンネルとを対応付けたチャンネルリストを記憶する手段と、少なくとも起動対象のメディアおよびチャンネルを識別するための情報ならびに再生開始日時情報を含むメディア起動記述を解釈し、実行する制御手段とを備える。この制御手段は、前記メディア起動記述に基づいて前記放送受信手段を起動する際、前記メディア起動記述に含まれうるサービスＩＤが、前記チャンネルリストに含まれうるサービスＩＤまたは前記チャンネルリストに含まれうるネットワークＩＤに対応するサービスＩＤの少なくともいずれかに該当する場合に、当該サービスＩＤに対応する物理チャンネル情報に基づいて、選択すべき物理チャンネルを特定し、更に、前記メディア起動記述内にサービスＩＤではなく、受信対象の番組を受信可能な複数のサービスＩＤを定めたサービスＩＤリストが記載されている場合、このサービスＩＤリスト内に含まれるサービスＩＤのいずれかが、前記チャンネルリストに含まれうるサービスＩＤまたは前記チャンネルリストに含まれうるネットワークＩＤに対応するサービスＩＤの少なくともいずれかに該当する場合に、当該サービスＩＤに対応する物理チャンネル情報に基づいて、選択すべき物理チャンネルを特定する。
前記制御手段は、前記チャンネルリストが物理チャンネルに対応してネットワークＩＤを含む場合、前記メディア起動記述内のサービスＩＤに基づいてこのサービスＩＤに対応するネットワークＩＤを求め、前記チャンネルリスト内の当該ネットワークＩＤに対応する物理チャンネル情報に基づいて、選択すべき物理チャンネルを特定する。
【０００９】
サービスＩＤリストは、当該メディア起動記述で意図した受信対象の番組を受信可能な複数のサービスＩＤを定めているので、当該現在地域のチャンネルリストを参照することにより、そのリスト中から、当該地域で放送がなされているサービスＩＤを特定し、目的の物理チャンネルを求めることができる。
【００１０】
前記チャンネルリスト内に各物理チャンネルに対応して系列ＩＤを含んでもよい。この場合、前記制御手段は、前記メディア起動記述に基づいて放送受信手段を起動する際、前記メディア起動記述内にサービスＩＤおよび前記サービスＩＤリストのいずれも記載されておらず系列ＩＤが記載されている場合、当該系列ＩＤが現在地域での前記チャンネルリストに含まれているとき、当該系列ＩＤに対応する物理チャンネル情報に基づいて、選択すべき物理チャンネルを特定する。
【００１１】
系列ＩＤによれば、全国内で当該メディア起動記述の作成者が意図する番組を放送する放送局のサービスＩＤが分かるので、それらのいずれかのサービスＩＤが当該現在地域のチャンネルリストの中に見つかれば、そのサービスＩＤに対応して目的の物理チャンネルを求めることができる。
【００１２】
本発明による放送受信端末装置は、現在地域の放送番組情報を含む電子番組表を取得する手段を備え、前記制御手段は、放送の受信予約処理に基づく処理時に、前記メディア起動記述および前記チャンネルリストに基づいて選択すべき物理チャンネルを特定することができなかったとき、前記電子番組表を提示してユーザにチャンネルを選択させるようにしてもよい。
【００１３】
最後に選択された物理チャンネル情報を記憶する手段を備え、前記制御手段は、放送の即時受信処理時に、前記メディア起動記述および前記チャンネルリストに基づいて選択すべき物理チャンネルを特定することができなかったとき、前記最後に選択された物理チャンネルを選択するようにしてもよい。
【００１４】
本発明はさらに、放送を受信し再生する放送受信手段、少なくとも現在地域において受信可能な放送局のサービスＩＤおよび少なくとも一つの前記サービスＩＤに対応するネットワークＩＤの少なくともいずれか一方と物理チャンネルとを対応付けたチャンネルリストを記憶する手段とを有する放送受信端末装置で実行されるコンピュータプログラムとして把握することも可能である。
【発明の効果】
【００１５】
本発明によれば、メディア起動記述にサービスＩＤリストまたは系列ＩＤを含める一方、端末内にチャンネルリストを保持することにより、メディア起動記述が複数の放送地域にまたがって利用される場合にも、意図した番組を容易に視聴できるようにすることができるようになる。
【発明を実施するための最良の形態】
【００１６】
以下、本発明の好適な実施の形態について図面を参照しながら詳細に説明する。
【００１７】
図１は、本実施の形態における放送受信端末装置（単に端末ともいう）を含むシステムの概略構成を示している。
【００１８】
このシステムにおいて、テレビ放送受信機能を備えた携帯電話機のような端末２０ａ，２０ｂは受信地域が異なる放送局３０ａ，３０ｂに属しているものとする。以下、端末２０ａ，２０ｂは総称する場合端末２０という（他の参照番号についても同様）。各端末２０は、通信ネットワーク１０を介してＷｅｂサーバ４０に接続されている。通信ネットワーク１０は、携帯電話網、パケット網、インターネット等を含みうるネットワークから構成される。
【００１９】
Ｗｅｂサーバ４０は、ｈｔｔｐプロトコルに則って端末２０からの要求に応じてＷｅｂページを構成するｈｔｍｌ等のマークアップ言語で記載された文書データを端末に提供するサーバである。本実施の形態ではこの文書データ中のリンクを設定するアンカータグとしてメディア起動記述を含みうることを想定している。
【００２０】
ネットワーク１０の中には、図示しないが、電子メール（以下、単にメールともいう）の転送の仲介処理を行うメールサーバを含む。本実施の形態ではこのメールデータの中にメディア起動記述を含みうることを想定している。また、本実施の形態におけるメールには、相手端末の電話番号を相手アドレスとして利用するいわゆるショートメッセージも含みうる。その場合には、ネットワーク１０の中に、ショートメッセージ転送の仲介処理を行うメッセージサーバを含む。
【００２１】
放送局３０によるテレビ放送は地上デジタル放送（ワンセグ放送を含む）を想定している。但し、衛星放送であっても、本発明を適用することが可能である。
【００２２】
図２に、端末２０の概略のハードウェア構成例を示す。この端末２０は、中央制御部２０１、ＲＡＭ２０２、ＲＯＭ２０３、表示制御部２０４、表示部２０５、通信部２０６、操作部２０７、フラッシュメモリ２０８、時計部２０９、録画再生部２１０、放送受信用アンテナ２１１、放送受信部２１２、音声処理部２１３、マイク２１４、スピーカ２１５を有している。
【００２３】
中央制御部２０１、ＲＡＭ２０２、ＲＯＭ２０３、表示制御部２０４、通信部２０６、操作部２０７、フラッシュメモリ２０８、時計部２０９、録画再生部２１０、放送受信部２１２、音声処理部２１３はバス２１０に接続されており、このバス２１０を介して相互にデータの授受、コマンドの送受などが行われるようになっている。
【００２４】
ＲＡＭ２０２は、中央制御部２０１の演算結果や外部から取得したデータを一時的に保持格納するメモリである。ＲＯＭ２０３は、オペレーティングシステム（ＯＳ）や各種プログラムおよび固定的なデータを保存する不揮発性のメモリである。中央制御部２０１がＲＯＭ２０３からこれらのプログラムを読み出し、プログラムに従って所定の処理を実行する。フラッシュメモリ２０８は、外部から取得したデータや、メールアドレス、ＵＲＬ（Uniform Resource Locator）などの情報を後の処理のために保持しておく再書き込み可能な不揮発性のメモリである。
【００２５】
通信部２０６は、ネットワーク１０との接続を確立し、ネットワーク１０とのデータの送受信を行う機能を有する。操作部２０７は、テンキーや各種指示キーを有し、ユーザの入力インタフェースを提供する。
【００２６】
表示制御部２０４は、中央制御部２０１からテキストや画像等の表示情報を受け取り、これに基づいて表示部２０５を駆動する機能を有する。外部からの表示情報としては、ネットワーク経由の情報および放送による情報の両方を切り替えて、または、重ねて表示することが可能である。表示部２０５は、液晶デバイス、有機ＥＬデバイス等の任意の表示デバイスを含み、表示制御部２０４からの駆動信号に従って画像を光学的に表示する機能を有する。
【００２７】
時計部２０９は、リアルタイムクロックを含み、カレンダーや時計、タイマーの機能を提供する。
【００２８】
放送受信部２１２はアンテナ２１１で受信された放送波から所望のチャンネルの信号を抽出し、復調再生する機能を有する。放送受信部２１２には、デジタルデータ放送によるＢＭＬ(Broadcast Markup Language)言語で記述された文書を解釈して表示するブラウザ機能を含む。
【００２９】
録画再生部２１０は、放送受信部２１２で受信された放送コンテンツを録画し、再生する機能を有する。録画用の記憶部としてはＲＡＭ２０２またはフラッシュメモリ２０８または図示しない小型ＨＤＤ等を用いることができる。
【００３０】
音声処理部２１３は、スピーカ２１５から音声を出力させたり、マイク２１４からの入力音声を所定の信号に変換する処理を行う。
【００３１】
図１に示したＷｅｂサーバ４０の内部構成は特に図示しないが、コンピュータ装置であり、中央制御部、通信部、記憶装置、各種入出力装置を有する。
【００３２】
図３により、地上デジタル放送のサービス伝送モデルを説明する（非特許文献１参照）。地上デジタル放送用の周波数は１３ｃｈ（４７０ＭＨｚ）から６２ｃｈ（７７０ＭＨｚ）の物理チャンネルを含む。１チャンネルのチャンネル幅６ＭＨｚを１４等分した幅の１４個の伝送セグメントのうち１３個を用いて地上デジタル放送が行われる（残りの１セグメントは隣接するチャンネルとの干渉を避けるためのガードバンドとして用いられる。）１３個の伝送セグメントのうち１２セグメントは固定受信を前提とした放送に利用され、１セグメントを携帯受信を前提とした放送に利用される。
【００３３】
端末２０を対象とした１セグメント（ワンセグ）放送では、ＭＰＥＧ−２システムで規定されるトランスポート・ストリーム（ＴＳ）という形式で映像、音声および付加データを多重化したストリーム（固定長のパケットの列）が伝送される。トランスポート・ストリームには必ず１つのＮＩＴ（Network Information Table）が多重化されている。ＮＩＴ内には、その周波数、リモコンＩＤ（リモコンの選択ボタン番号）、サービスＩＤ（最大３個まで）が記述されている。デジタル放送では同じ放送局の同じ周波数のチャンネルで複数のコンテンツを同時に放送できるようになっており、それらのサービスを識別する情報がサービスＩＤである。このサービスＩＤによりＰＭＴのＰＩＤ（Packet Identifier：パケット識別し）が特定される。ＰＭＴには当該番組を構成する映像、音声等のＰＩＤが記述されている。
【００３４】
図４（ａ）（ｂ）に、本実施の形態で用いうるチャンネルリスト３００ａまたは３００ｂを示し、図４（ｃ）に電子番組表（ＥＰＧ）４００の構成例を模式的にテーブル形式で示す。以下、チャンネルリスト３００ａまたは３００ｂは、特に区別する場合以外、総称してチャンネルリスト３００という。
【００３５】
図４（ａ）のチャンネルリスト３００ａには、関東、中京、近畿等の地域ごとに受信可能な複数の放送局のサービスの周波数（すなわち物理チャンネル番号）、放送局名（放送事業者名）、リモコンＩＤ、サービスＩＤ（ＳＩＤ: service_id）、系列ＩＤ（affiliation_id)等が記載されている。図４（ｂ）のチャンネルリスト３００ｂは、サービスＩＤの代わりにネットワークＩＤ（ＮＩＤ）を含んでおり、他はチャンネルリスト３００ａと同じである。本実施の形態では、端末２０がメディア起動記述の利用のためのアプリケーションのインストール時にこのような複数の地域のチャンネルリスト３００を予めメモリ（例えばフラッシュメモリ２０８）内に格納しておく。あるいは、地域の変更時または周期的に周波数をスキャンして受信可能な放送を受信し、チャンネルリスト３００の内容を取得してメモリに保持する。
【００３６】
ネットワークＩＤ（ネットワーク識別；network_id）とは、ＡＲＩＢ  ＴＲ−B１４「地上デジタルテレビジョン放送運用規定」で定義されているように、下記の式により算出される値をいう。
network_id=0x7FF0-0x0010x地域識別+地域事業者識別(service_id)-0x400ｘ県複フラグ.....（１）
【００３７】
県複フラグとは、地域内でのTSが１つか２つかを示すと共に、２ＴＳの場合に１
つめのＴＳか、２つめのＴＳかを示すために使用されるフラグをいう。
地域識別とは、放送局の放送地域を示す。
network_idは、メディア起動記述中のservice_idと、携帯電話端末の現在地域の地域識別とに基づいて式（１）から求めることができる。
例えば、東京でＮＨＫ総合のテレビ型サービスの場合、地域識別＝１、service_id=0x400、県複フラグ=0であり、これらの値を式（１）に代入することにより、network_id=7FE0が求められる。
network_id(１つ)と、service_id(１つ以上)との対応リストを用いてもよい。
【００３８】
なお、端末の属する現在地域は、その場で放送局から受信した当該地域のＥＰＧに基づいて判断したり、携帯電話網を利用した位置検索サービスを利用したり、地球測位システム（ＧＰＳ）受信部（図示せず）を用いたりすることにより、確認することができる。図４（ａ）（ｂ）のチャンネルリスト３００ａ，３００ｂの代わりに、両チャンネルリストの項目をすべて含む、すなわち、ＳＩＤとＮＩＤの両方を含むチャンネルリストを用いることも可能である。
【００３９】
図４（ｃ）に示したＥＰＧ４００は、放送波により（または、ネットワーク経由で）逐次定期的に受信され、メモリ（例えばＲＡＭ２０２またはフラッシュメモリ２０８）内に保持される電子番組表データであり、サービスＩＤ単位に各日時にどのような番組が放送されるかを示したものである。
【００４０】
次に、図５（ａ）に、本実施の形態で用いるメディア起動記述の構文を示し、図５（ｂ）にそのメディア起動記述の一例を示す。メディア起動記述は、"Media Scheme"として示すように、メディア起動記述であることを示す識別子（“ｍｅｄｉａ：”メディアコロン）、放送者（Broadcaster）およびオプション（Options）の形式で構成される。放送者は、起動対象メディア（テレビ、ラジオ等）の識別情報（MediaType）および国コードを含む。ワンセグテレビすなわちデジタルテレビ地上波携帯受信機を対象とする場合のMediaTypeは、“ＤＴＶＴＲ−Ｃ”である。国コードやオプションの仕様については図示のとおりである。本実施の形態では、“オプション”として、物理チャンネル（p_channel）、サービスＩＤ（service_id）、サービスＩＤリスト（service_id_list）、開始日時（stime）、終了日時（etime）、タイトル（title）、提供者名（provider_name）、放送局の系列ＩＤ（affiliation_id）、等を規定している。これらの各項目の仕様は図５（ａ）に示すとおりである。
【００４１】
図５（ｂ）はメディア起動記述の具体的な例を示したものである。この例では、日本のワンセグテレビ、物理チャンネル＝１３、サービスＩＤ＝０００１、開始日時＝２００６年９月２９日２０：００：００、終了日時＝２００６年９月２９日２２：００：００、タイトル、および提供者名が記載されている。
【００４２】
図６により、放送局の系列ＩＤ（affiliation_id）を説明する。系列とは、日本全国の民間放送局を関連性の高いグループに分けたものであり、現在、日本国ではＪＮＮ系列、ＮＴＶ系列、ＦＮＮ系列、ＡＮＮ系列、ＴＸ系列、独立系の各系列がある。全国放送番組はキー局から同一の系列に属する放送局を経由して放送されることが多い。このような系列毎の放送局のサービスＩＤを対応づけて、端末２０内のメモリに保持しておく。
【００４３】
図７（ａ）は、Ｗｅｂページやメールメッセージを構成するＨＴＭＬ等のマークアップ言語で記述される文書中に含みうるアンカータグにメディア起動記述を含めた具体例を示している。次のような形式を有するアンカータグ
＜ａ  ｈｒｅｆ＝  ．．．＞  ．．．  ＜／ａ＞
の開始タグ＜ａ  ｈｒｅｆ＝  ．．．＞の中に、メディア起動記述であることを示す識別子（“ｍｅｄｉａ：”）、起動対象メディア（テレビ、ラジオ等）の識別情報、チャンネル情報、サービスＩＤ（service_id）、開始日時（ｓｔｉｍｅ）、終了日時（ｅｔｉｍｅ）、番組タイトル（ｔｉｔｌｅ）を含めている。
【００４４】
図７（ａ）に示すようにメディア起動記述５０が所定の文書（例えばメールの受信文書やＷｅｂページ）の中に記述されている場合、その文書を解釈するメーラーやブラウザ等のアプリケーションは、当該メディア起動記述のアンカータグを解釈して、図７（ｂ）に示すような表示画面上でアンカーポイント（リンク）５２の表示を行う。ユーザがこのアンカーポイント５２を指示すると、当該アプリケーションは所定の動作を実行する。例えば、図７（ａ）の例で、指定された番組の開始日時（ｓｔｉｍｅ）および終了日時（ｅｔｉｍｅ）の間の任意時刻にユーザにより指示されれば、当該メディア（図ではテレビ５３）を即時に起動し、指定されたチャンネルの表示を行う。
【００４５】
指定された番組の開始日時（ｓｔｉｍｅ）の前に指示されれば、図７（ｃ）に示すように、その番組に対する録画予約や視聴予約を受け付けるような画面を表示するようにしてもよい。または、図示しないが、指定された番組の開始日時を表示して処理を終了してもよい。あるいは、その開始日時の到来を監視し、直前にユーザに対してアラーム表示等を行うようにしてもよい。
【００４６】
また、番組の終了日時の経過後に指示されれば、図７（ｄ）に示すように、「この番組は終了しました。」のような所定のメッセージを表示するようにしてもよい。
【００４７】
図８は、本実施の形態の端末２０におけるメディア起動記述に基づく処理例を表したフローチャートである。
【００４８】
端末２０は、所定の契機でメディア起動記述に基づく起動判定を行う（Ｓ１１）。所定の契機とは、例えば上記のようなリンクに対するユーザの指示、メールの受信時、等である。まず、このメディア起動記述に“ｓｔｉｍｅ”の記載があるか否かをチェックする（Ｓ１２）。“ｓｔｉｍｅ”の記載があり、その日時が現在より未来であれば、“ｅｔｉｍｅ”の有無をチェックする（Ｓ１３）。“ｅｔｉｍｅ”の記載があり、かつ、それが“ｓｔｉｍｅ”より未来であれば、スケジューラにそのチャンネルおよび日時を登録し（Ｓ１４）、図７（ｃ）に示したような画面を表示してその番組の視聴予約（または録画予約）を行う（Ｓ１５）。“ｅｔｉｍｅ”の記載があるが、それが“ｓｔｉｍｅ”より過去であれば起動記述の誤記であり、また、“ｅｔｉｍｅ”の記載がなければ、予約処理には不完全な情報しかないので、ユーザにＥＰＧ番組を提示してユーザの指示に基づく予約処理等を行う（Ｓ１６）。
【００４９】
ステップＳ１２において、“ｓｔｉｍｅ”の記載があるがそれが現在より過去である場合、または“ｓｔｉｍｅ”の記載自体がない場合、“ｅｔｉｍｅ”の有無をチェックする（Ｓ１７）。“ｅｔｉｍｅ”の記載があり、かつ、それが“ｓｔｉｍｅ”より未来であれば、または、“ｅｔｉｍｅ”の記載がない場合、テレビアプリケーション（テレビアプリ）を即時起動する処理を実行する（Ｓ１８）。この詳細については後述する。このステップＳ１８の処理を自動で行うか、ユーザの確認を得て行うかはいずれであってもよい。ステップＳ１７で、“ｓｔｉｍｅ”の記載があるがそれが現在より過去である場合、図７（ｄ）に示したような画面を表示してＴＶ視聴時間切れ処理を実行する（Ｓ１９）。
【００５０】
図９は、端末２０における視聴予約処理の動作例を示すフローチャートである。
【００５１】
上述した視聴予約処理Ｓ１５において、設定時刻（典型的にはｓｔｉｍｅ）の所定時間（例えば５分前）となったら（Ｓ２１）、メディア起動記述を確認する（Ｓ２２）。このメディア起動記述内にサービスＩＤ"service_id"の記載があれば（Ｓ２３，Ｙｅｓ）、次に物理チャンネル"p_channel"の記載があるかどうかをチェックする（Ｓ２４）。"p_channel"の記載があれば、現在地域のチャンネルリスト（図４（ａ））を参照する（Ｓ２５）。チャンネルリスト３００ａ内に当該サービスＩＤ"service_id"と物理チャンネル"p_channel"の組み合わせがあれば、その物理チャンネルを指定チャンネルと判断して、指定チャンネル選局処理を実行する（Ｓ２６）。"network_id"を用いたチャンネルリスト３００ｂを用いた場合には、メディア起動記述中の"service_id"を上記の通りに"network_id"に変換してから、チャンネルリストを参照して当該"network_id"が含まれているか否かを調べる。
【００５２】
チャンネルリスト内に当該サービスＩＤ"service_id"（または"network_id"：以下、同様）と物理チャンネル"p_channel"の組み合わせがなければ、ユーザにＥＰＧ番組を提示してユーザの指示に基づく選局を行う（Ｓ２７）。但し、この場合、チャンネルリスト内に当該サービスＩＤ"service_id"のみが見つかった場合、当該物理チャンネル"p_channel"は無視して、チャンネルリストから当該当該サービスＩＤ"service_id"に対応する物理チャンネルを求めて、これを指定チャンネルとして選局するようにしてもよい。あるいは、チャンネルリスト内に当該サービスＩＤ"service_id"と物理チャンネル"p_channel"の組み合わせがない場合に、いずれかがチャンネルリスト内に存在すれば、それに合わせて選局を行うようにしてもよい。
【００５３】
ステップＳ２４において、物理チャンネル"p_channel"の記載がない（サービスＩＤ"service_id"の記載はある）場合、上記ステップＳ２５と同様にチャンネルリストを参照して（Ｓ２９）、そのサービスＩＤ"service_id"がチャンネルリスト内に見つかったら、そのサービスＩＤに対応する物理チャンネルを指定チャンネルとして選局処理を行う（Ｓ３０）。そのサービスＩＤ"service_id"がチャンネルリスト内に見つからなかったら、ＥＰＧ番組を提示してユーザの指示に基づく選局等を行う（Ｓ３２）。
【００５４】
ステップＳ２３において、サービスＩＤ"service_id"の記載がなかった場合、サービスＩＤリスト"service_id_list"の記載の有無をチェックする（Ｓ２８）。サービスＩＤリスト"service_id_list"の記載があれば、上述したステップＳ２９のチャンネルリストを参照に進む。ここで、"service_id_list"に記載されたいずれかのサービスＩＤ"service_id"がチャンネルリスト内に見つかったら、そのサービスＩＤに対応する物理チャンネルを指定チャンネルとして選局処理を行う（Ｓ３０）。見つからなければ、上記ステップＳ３２でＥＰＧ番組選択処理等を実行する。
【００５５】
ステップＳ２８において、サービスＩＤリスト"service_id_list"の記載がなかった場合、系列ＩＤ"affiliation_id"の記載の有無をチェックする（Ｓ３１）。系列ＩＤ"affiliation_id"の記載があれば、上述したステップＳ２９のチャンネルリストを参照に進む。ここで、系列ＩＤ"affiliation_id"がチャンネルリスト内に見つかったら、それに対応する物理チャンネルを指定チャンネルとして選局処理を行う（Ｓ３０）。見つからなければ、上記ステップＳ３２でＥＰＧ番組選択処理等を実行する。
【００５６】
ステップＳ３１において、系列ＩＤ"affiliation_id"の記載がなければ、上記ステップＳ３２でＥＰＧ番組選択処理等を実行する。
【００５７】
視聴予約処理は上記のとおりであるが、録画予約処理の場合も同様である。
【００５８】
図１０は、端末２０におけるテレビアプリ即時起動処理の動作例を示すフローチャートである。
【００５９】
上述したテレビアプリ即時起動処理Ｓ１８において、まず、メディア起動記述を確認する（Ｓ４１）。このメディア起動記述内にサービスＩＤ"service_id"の記載があれば（Ｓ４２，Ｙｅｓ）、次に物理チャンネル"p_channel"の記載があるかどうかをチェックする（Ｓ４３）。"p_channel"の記載があれば、現在地域のチャンネルリスト（図４（ａ））を参照する（Ｓ４４）。チャンネルリスト内に当該サービスＩＤ"service_id"と物理チャンネル"p_channel"の組み合わせがあれば、その物理チャンネルを指定チャンネルと判断して、指定チャンネル選局処理を実行する（Ｓ４６）。チャンネルリスト内に当該サービスＩＤ"service_id"と物理チャンネル"p_channel"の組み合わせがなければ、この端末において最後に選局したラストチャンネルの選局を行う（Ｓ４５）。但し、この場合、チャンネルリスト内に当該サービスＩＤ"service_id"のみが見つかった場合、当該物理チャンネル"p_channel"は無視して、チャンネルリストから当該当該サービスＩＤ"service_id"に対応する物理チャンネルを求めて、これを指定チャンネルとして選局するようにしてもよい。あるいは、チャンネルリスト内に当該サービスＩＤ"service_id"と物理チャンネル"p_channel"の組み合わせがない場合に、いずれかがチャンネルリスト内に存在すれば、それに合わせて選局を行うようにしてもよい。
【００６０】
ステップＳ４３において、物理チャンネル"p_channel"の記載がない（サービスＩＤ"service_id"の記載はある）場合、チャンネルリストを参照して（Ｓ４８）、そのサービスＩＤ"service_id"がチャンネルリスト内に見つかったら、そのサービスＩＤに対応する物理チャンネルを指定チャンネルとして選局処理を行う（Ｓ４９）。そのサービスＩＤ"service_id"がチャンネルリスト内に見つからなかったら、ラストチャンネル選局を行う（Ｓ５１）。
【００６１】
ステップＳ４２において、チャンネルリスト内にサービスＩＤ"service_id"の記載がなかった場合、サービスＩＤリスト"service_id_list"の記載の有無をチェックする（Ｓ４７）。サービスＩＤリスト"service_id_list"の記載があれば、上述したステップＳ４８のチャンネルリストを参照に進む。ここで、"service_id_list"に記載されたいずれかのサービスＩＤ"service_id"がチャンネルリスト内に見つかったら、そのサービスＩＤに対応する物理チャンネルを指定チャンネルとして選局処理を行う（Ｓ４９）。見つからなければ、上記ステップＳ５１でラストチャンネル選局を行う。
【００６２】
ステップＳ４７において、サービスＩＤリスト"service_id_list"の記載がなかった場合、系列ＩＤ"affiliation_id"の記載の有無をチェックする（Ｓ５０）。系列ＩＤ"affiliation_id"の記載があれば、上述したステップＳ４８のチャンネルリストを参照に進む。ここで、系列ＩＤ"affiliation_id"がチャンネルリスト内に見つかったら、それに対応する物理チャンネルを指定チャンネルとして選局処理を行う（Ｓ４９）。見つからなければ、上記ステップＳ５１でラストチャンネル選局を実行する。
【００６３】
ステップＳ５０において、系列ＩＤ"affiliation_id"の記載がなければ、上記ステップＳ５１でラストチャンネル選局を行う。
【００６４】
以上では、既に作成されたメディア起動記述の処理について説明したが、メディア起動記述自体はテキストで上記の構文に則って情報提供者側が任意に作成することができる。但し、その作成は知識がない者や不慣れな者には容易ではない。そこで、図１１に示すように、ユーザが端末で視聴中の番組やテレビ番組表中にある番組を他のユーザに視聴勧誘したい場合、あるいは、Ｗｅｂページの閲覧中に特定のテレビ番組情報が提示されている場合に、ユーザの指示にしたがって、通知メール作成処理６３や、二次元コード作成処理６４により、自動的に、その番組を他者に通知するための通知メール６８の作成を行ったり、そのメディア起動記述を含む記号化されたコードとしての二次元コード６９を作成したりすることができる。二次元コード６９は端末に付属のカメラ部（図示せず）により撮影して得られる画像に基づいてメディア起動記述を端末内部に取り込むことができる。
【００６５】
その際、メディア起動記述のオプションの中にどのようなパラメータを入れるかは、その処理によって、また、利用できるパラメータによって異なりうる。どのパラメータを利用するかは処理の種類によって予め決定しておくことができる。あるいは、作成者にパラメータを選択させてもよい。上述のように、メディア起動記述にサービスＩＤと物理チャンネルの両方を含めた場合、チャンネルリストに両者の組み合わせが見つかったときのみ、その物理チャンネルを指定チャンネルとして選択する例では、物理チャンネルを含めか否かにより、そのメディア起動記述の起動時の処理（分岐）を異ならせることができる。すなわち、物理チャンネルを含めることにより、特定の地域のユーザに対してのみ自動で指定チャンネルを選択させる、というようなことが可能となる。
【００６６】
なお、本発明では適正な物理チャンネルおよび再生開始日時から間接的に番組を特定しようとするものであり、番組自体を直接的に特定しようとするものではない。したがって、本発明は地域により番組の放送開始日時が異なるような場合にまで対応するものではないが、利用できる情報を用いて簡易的な制御で番組を特定することができる。
【００６７】
以上、本発明の好適な実施の形態について説明したが、上記で言及した以外にも種々の変形、変更を行うことが可能である。
【００６８】
例えば、端末は携帯端末を想定したが、少なくともテレビ放送受信機能を備えれば本発明は固定端末でも利用することが可能である。
【００６９】
また、ネットワークＩＤを用いたチャンネルリストを用いる場合、メディア起動記述内で見つかったサービスＩＤに基づいてネットワークＩＤを求めることとしたが、ネットワークＩＤ自体をメディア起動記述内に含めるようにすることも可能である。
【００７０】
系列ＩＤをチャンネルリストに含める例を説明したが、チャンネルリストに含めない場合に、複数の放送局のサービスＩＤを同一の系列に属するものとして一つの系列ＩＤと対応づけた系列ＩＤ情報を記憶する手段を端末内に備えてもよい。この場合、制御手段は、メディア起動記述に基づいて放送受信手段を起動する際、メディア起動記述内にサービスＩＤおよびサービスＩＤリストのいずれも記載されておらず系列ＩＤが記載されている場合、当該系列ＩＤが前記記憶された系列ＩＤ情報に含まれているとき、当該系列ＩＤに属するサービスＩＤに対応する物理チャンネル情報に基づいて、選択すべき物理チャンネルを特定することも可能である。
【図面の簡単な説明】
【００７１】
【図１】本発明の実施の形態における端末装置を含むシステムの概略構成を示す図である。
【図２】図１内に示した端末の概略のハードウェア構成例を示す図である。
【図３】地上デジタル放送のサービス伝送モデルを説明するための図である。
【図４】本発明の実施の形態で用いるチャンネルリスト（ａ）（ｂ）および電子番組表（ＥＰＧ）（ｃ）の構成例を模式的にテーブル形式で示す図である。
【図５】本発明の実施の形態で用いるメディア起動記述の構文（ａ）およびそのメディア起動記述の一例（ｂ）を示す図である。
【図６】放送局の系列（affiliation_id）を説明するための図である。
【図７】本発明の実施の形態におけるメディア起動記述の具体例を説明するための図である。
【図８】本発明の実施の形態の端末におけるメディア起動記述に基づく処理例を表したフローチャートである。
【図９】本発明の実施の形態の端末における視聴予約処理の動作例を示すフローチャートである。
【図１０】本発明の実施の形態の端末におけるテレビアプリ即時起動処理の動作例を示すフローチャートである。
【図１１】本発明の実施の形態におけるメディア起動記述の自動作成処理を説明するための図である。
【符号の説明】
【００７２】
１０…通信ネットワーク、２０，２０ａ，２０ｂ…端末、３０，３０ａ，３０ｂ…放送局、４０…サーバ、５０…メディア起動記述、５２…アンカーポイント、５３…テレビ、６３…通知メール作成処理、６４…二次元コード作成処理、６８…通知メール、６９…二次元コード、３００，３００ａ，３００ｂ…チャンネルリスト、４００…電子番組表（ＥＰＧ）
【図１】
2008098983.tif 000003
【図２】
2008098983.tif 000004
【図３】
2008098983.tif 000005
【図４】
2008098983.tif 000006
【図５】
2008098983.tif 000007
【図６】
2008098983.tif 000008
【図７】
2008098983.tif 000009
【図８】
2008098983.tif 000010
【図９】
2008098983.tif 000011
【図１０】
2008098983.tif 000012
【図１１】
2008098983.tif 000013